(57)【要約】  打ち抜きの無駄なしに廉価なインテグラルフィルム製品を商業規模で製造することができ、これらの製品をそれらが上に形成された支持構造物から独立して使用できる方法は、マスクを剥離性表面を有する基材上に載置することと、マスクを通してフィルム形成組成物を送達して基材上に粗形状体を形成することと、マスクを取り外すことと、基材上に配されたインテグラルフィルム製品へと粗形状体を凝固させることと、を含む。マスクは、所望のインテグラルフィルム製品に対応する形状を有する少なくとも１つの開口部を有する。インテグラルフィルム製品は、基材から独立した使用のために基材の剥離性表面から取り外し可能であるように配置及び構成される。
2017510474.tif 000002
【特許請求の範囲】
【請求項１】
インテグラルフィルム製品を形成するための方法であって、
ａ．所望のインテグラルフィルム製品に対応する形状を有する少なくとも１つの開口部を有するマスクを、剥離性表面を有する基材上に載置する工程と、
ｂ．前記マスクの前記少なくとも１つの開口部を通してフィルム形成組成物を送達し、前記少なくとも１つの開口部に対応する粗形状体を前記基材上に形成する工程と、
ｃ．前記マスクを取り外す工程と、
ｄ．前記粗形状体を前記基材上に配された前記インテグラルフィルム製品へ変換する工程と、を含み、前記インテグラルフィルム製品が、前記基材から独立した使用のために前記基材の前記剥離性表面から取り外し可能であるように配置及び構成される、方法。
【請求項２】
前記マスクが、内部を有する回転ドラムの円筒面上に配置され、前記少なくとも１つの開口部が、前記回転ドラムの前記内部と流体連通している、請求項１に記載の方法。
【請求項３】
前記マスクが、前記少なくとも１つの開口部にわたって配されたスクリーンを有する、請求項１に記載の方法。
【請求項４】
約２０°〜約４０°の羽根角を有するスキージが、前記スクリーンを通して前記フィルム形成組成物を押し通す、請求項３に記載の方法。
【請求項５】
ノズルが前記フィルム形成組成物を圧力下で前記マスクへ送達する、請求項４に記載の方法。
【請求項６】
前記マスクが、ステンシルである、請求項１に記載の方法。
【請求項７】
ノズルが前記フィルム形成組成物を圧力下で前記マスクへ送達する、請求項６に記載の方法。
【請求項８】
前記粗形状体が、少なくとも約０．５ｍｍの厚さを有する、請求項１に記載の方法。
【請求項９】
インテグラルフィルム製品を形成するための方法であって、
ａ．所望のインテグラルフィルム製品に対応する設計を有する少なくとも１つの開口部を有するマスクを、剥離性表面を有する基材上に載置する工程と、
ｂ．前記マスクの前記少なくとも１つの開口部を通して有益剤を含むフィルム形成組成物を送達し、前記少なくとも１つの開口部に対応する粗形状体を前記基材上に形成する工程と、
ｃ．前記マスクを取り外す工程と、
ｄ．前記粗形状体を前記基材上に配された前記インテグラルフィルム製品へ変換する工程と、を含み、前記インテグラルフィルム製品が、前記基材から独立した使用のために前記基材の前記剥離性表面から取り外し可能であるように配置及び構成される第１の表面を有し、前記有益剤が、前記インテグラルフィルム製品の前記第１の表面を通して送達可能である、方法。
【発明の詳細な説明】
【背景技術】
【０００１】
インテグラルフィルム製品は、広範な用途を有する。これらには、装飾的な窓用デカール、絆創膏、粘着包帯、並びに経口ストリップ（薬用及びその他の両方）が含まれる。
【０００２】
このようなインテグラルフィルム製品の従来の生産は、一般に、フィルムストックから所望の形状の製品を打ち抜くことを伴う。この生産は、廉価なフィルムストックを生産するものの、打ち抜きは、最終製品形成の効率性及び／又は可変性を制限する。製品の形状が完全に長方形ではない、又は他の点で完全にモザイク状ではない場合、取り囲む梯子状の切れ端は、著しい浪費をもたらし得る。したがって、高価な原材料を有する製品は、しばしば、このような高価な浪費を実質的に排除するために、正方形又は他の完全にモザイク状の形状に限定される。これは、残念ながら一部の用途のための最適な形状の形成を妨げる。医療フィルムの打ち抜きの例としては、Ｐｈａｒｍｅｄｉｃａ  Ｌｔｄ．、国際公開第２０１２１０４８３４号Ａ１、Ｐｉｎｎａら、米国特許第７６１２０４８号Ｂ２、及びＳｍｉｔｈｋｌｉｎｅ  Ｂｅｅｃｈａｍ  Ｃｏｒｐ．、国際公開第２００５／００９３８６号Ａ２に記載されているような生産技術が挙げられる。
【０００３】
一方、印刷（ステンシル印刷及びスクリーン印刷を含む）は、不規則な形状を基材上に提供することができる公知の方法である。一般に、印刷された材料は、紙上に印刷されたテキスト及びグラフィクス、電子業界における印刷回路、並びに服飾及び標識上の印刷されたデザイン等、基材に永続的に接合されてとどまる。しかしながら、印刷された要素へ担持基材を統合することは、印刷された製品を基材から離れて使用することを妨げる。
【発明の概要】
【発明が解決しようとする課題】
【０００４】
必要とされているものは、打ち抜きの無駄なしに廉価なインテグラルフィルム製品を商業規模で製造でき、これらの製品をそれらが上に形成された支持構造物から独立して使用できる方法である。
【課題を解決するための手段】
【０００５】
驚くべきことに、我々は、打ち抜きの無駄なしに廉価なインテグラルフィルム製品を商業規模で製造でき、これらの製品をそれらが上に形成された支持構造物から独立して使用できる方法を見出した。この方法は、剥離性表面を有する基材上にマスクを載置することと、マスクを通してフィルム形成組成物を送達し、粗形状体を基材上に形成することと、マスクを取り外すことと、基材上に配されたインテグラルフィルム製品へと粗形状体を変換することとを含む。マスクは、所望のインテグラルフィルム製品に対応する形状を有する少なくとも１つの開口部を有する。インテグラルフィルム製品は、基材から独立した使用のために基材の剥離性表面から取り外し可能であるように配置及び構成される。
【０００６】
代替的な実施形態では、インテグラルフィルム製品を形成するための方法は、剥離性表面を有する基材上にマスクを載置することと、マスクを通してフィルム形成組成物を送達し、粗形状体を形成することと、マスクを取り外すことと、基材上に配されたインテグラルフィルム製品へと粗形状体を凝固させることとを含む。フィルム形成組成物及びしたがってインテグラルフィルム製品は、有益剤を含み、インテグラルフィルム製品は、基材から独立した使用のために基材の剥離性表面から取り外し可能であるように配置及び構成された第１の表面を有する。有益剤は、インテグラルフィルム製品の第１の表面を通して送達可能である。
【図面の簡単な説明】
【０００７】
【図１】本発明の一実施形態による方法のブロック図である。
【図２】本発明の一実施形態において有用なフラットベッドステンシル印刷システムの斜視図である。
【図３】本発明の別の実施形態において有用な回転式ステンシル印刷システムの斜視図である。
【図４】本発明の別の実施形態において有用なフラットベッドスクリーン印刷システムの側面図である。
【図５】本発明の更に別の実施形態において有用な回転式スクリーン印刷システムの側面図である。
【図６Ａ】本発明のインテグラルフィルム製品の断面図である。
【図６Ｂ】本発明のインテグラルフィルム製品の断面図である。
【図６Ｃ】本発明のインテグラルフィルム製品の断面図である。
【図６Ｄ】本発明のインテグラルフィルム製品の断面図である。
【図７Ａ】本発明のインテグラルフィルム製品の形成を示す一連の工程段階の概略側面図である。
【図７Ｂ】本発明のインテグラルフィルム製品の形成を示す一連の工程段階の概略側面図である。
【図７Ｃ】本発明のインテグラルフィルム製品の形成を示す一連の工程段階の概略側面図である。
【図７Ｄ】本発明のインテグラルフィルム製品の形成を示す一連の工程段階の概略側面図である。
【図７Ｅ】本発明のインテグラルフィルム製品の形成を示す一連の工程段階の概略側面図である。
【図８】ステンシルマスク対完成された製品の厚さのグラフである。
【図９】スクリーンマスク対完成された製品の厚さのグラフである。
【発明を実施するための形態】
【０００８】
本発明は、インテグラルフィルム製品を形成するための方法及び装置に関する。以下の説明は、当業者が本発明を作製及び使用できるようにするために提示される。本明細書に記載される実施形態並びに一般的な原則及び特長に対する様々な修正が、当業者には容易に明らかになるであろう。したがって、本発明は、示されている実施形態に限定されることを意図するものではなく、本明細書に記載されている原則及び特長に整合する最も広い範囲が与えられるべきである。インテグラルフィルム製品は、広範な用途を有し得る。これらには、窓及び壁の装飾的なデカール、一時的なタトゥー（車体用デカール等）等の家庭及び娯楽用途、薬用及び／又は吸収性絆創膏、粘着包帯、及び他の創傷被覆、「消耗性フィルム」（薬用、治療用、及び化粧品用）としても知られている経口ストリップ、保湿にきび治療薬、抗シワ、隈、メリスマ（melisma）、セルライト、ビタミンの送達、湿疹、乾癬等の他の身体用ストリップ等の医療装置等が含まれる。
【０００９】
本明細書及び請求項において使用される場合、用語「インテグラルフィルム製品」、その変化形は、支持基材から離して所望の目的のために取り扱うことを可能にするのに十分丈夫であるフィルム製品に関する。製品は、基材から独立した使用のために基材から取り外し可能である。
【００１０】
本明細書及び請求項において使用される場合、用語「フィルム形成組成物」、その変化形は、それ自身によって又は添加剤の存在下で、基材上に連続的なフィルムを形成することができる組成物に関する。
【００１１】
本明細書及び請求項において使用される場合、用語「粗形状体」、その変化形は、開口付きマスクを通して基材上に配されたフィルム形成組成物の、形作られた体積に関する。粗形状体は、一般に、それをインテグラルフィルム製品へと変換するために、統合等の更なる処理を必要とする。
【００１２】
本明細書及び請求項において使用される場合、用語「凝固」、その変化形は、液体から固体への相変化に関し、溶媒の蒸発、温度の低下、重合、架橋等によってであってもよい。
【００１３】
本明細書及び請求項において使用される場合、用語「モザイク状」及びその変化形は、重なり合い又は間隙のない平坦形状の模様を有する平面に関する。したがって、「梯子状の無駄は形状の間に存在しない。
【００１４】
図面を参照すると、図１は、インテグラルフィルム製品を形成するための方法の高レベルの流れ図である。第１の工程１０は、開口部を有するマスクを形成することを含む。第２の工程２０は、剥離性表面を有する基材上にマスクを載置することを含み、マスクは、開口部を有する。第３の工程３０は、マスクを通してフィルム形成組成物を基材へ送達することを含む。第４の工程４０は、マスクを取り外すことを含む。第５の工程５０は、フィルム形成組成物をインテグラルフィルム製品へと変換することによって粗形状体を凝固させることを含む。第６の工程６０は、基材の剥離性表面からインテグラルフィルム製品を取り外すことを含む。これは、製品の製造及び包装中になされてもよく、又は消費者によってなされてもよい。
【００１５】
工程１０は、所望のインテグラルフィルム製品（図２に示され、下で説明される）に対応する少なくとも１つの開口部１０４を有するマスク１０２を形成することを含む。本発明の新機軸により、形状は、所望される通りに単純又は複雑であってもよい。本発明の１つの利点として、形状は、比較的複雑（打ち抜き作業において過度の梯子状の無駄をもたらすであろうような種類の形状）であってもよい。例えば、入れ子式の円模様の印刷中に生じる最小限の梯子状の無駄は、約２０％である（象限において接する、まっすぐな列及び行として配置された円に基づくと）。
【００１６】
印刷マスクは、当技術分野で公知である。これには、ステンシル、スクリーン、メッシュ、テープ等が含まれるが、それらには限定されない。印刷マスクの正確な製作は、本発明にとって決定的ではないが、我々の発明は、比較的厚いインテグラルフィルム製品を形成すること、及びしたがって比較的厚いマスクを使用することを可能にする。好ましくは、マスクは、少なくとも約０．０５ミリメートル（「ｍｍ」）の厚さを有する。可撓性の比較的目立たない製品に関する皮膚上の使用のための一実施形態では、マスクは、約０．０５ｍｍ〜約０．３ｍｍ、より好ましくは約０．１〜約０．２ｍｍの厚さを有する。別の実施形態では、厚いインテグラルフィルム製品は、約０．２ｍｍ超、好ましくは約０．２〜約２ｍｍ、好ましくは約０．４ｍｍ〜約１ｍｍ、及び最も好ましくは約０．５ｍｍ〜約１ｍｍの厚さを有するマスクを使用して作製されてもよい。多くの実施形態では、マスクの厚さは決定的ではない一方、他の実施形態では、本発明は、事前に知られていない厚さを有するインテグラルフィルム製品を形成することを可能にする。
【００１７】
マスクの厚さは、一般に、インテグラルフィルム製品の最大厚さを決定する。この関係は、フィルム形成組成物の性質及び組成物が凝固する仕組みによって決定される。例えば、ホットメルト及び親水コロイドのフィルム形成組成物は、一般に、マスク厚さと本質的に等しい製品厚さをもたらす。発泡フィルム形成組成物も使用されてもよく、マスクの厚さと等しいか、又はそれどころかことによるとそれよりも厚い厚さを有する凝固フィルタを提供し得る。溶媒又は他の担体ベースの組成物は、製品が凝固するにつれて厚みを失うであろう。厚みの低減は、一般に、組成物の固形分に関係する。我々は、固形分が３０〜４０％であると、マスク厚さの約５０％の厚さを有するインテグラルフィルム製品がもたらされることを見出した。配合物の固形分がより少ないと、更には、マスク厚さの５０％未満の厚さを有する最終製品がもたらされる可能性が高いであろう。
【００１８】
例えば、ステンシルマスク厚さが０．５ｍｍであると、約０．５ｍｍのフィルム形成組成物の粗形状体を堆積させることができるであろう。インテグラルフィルム製品への変換後、フィルム形成組成物の固形分に基づき、厚さは縮小するであろう。
【００１９】
スクリーン印刷法では、異なる用途に対して異なるメッシュサイズが使用される。メッシュの幾何形状が、メッシュの特性を定める。スクリーンメッシュの幾何形状は、メッシュ数及び糸（又はワイヤ若しくは繊維）の直径によって定められる。メッシュ数とは、２．５センチメートルあたり（インチあたり）のメッシュに含まれる糸の数を指す。糸の直径とは、糸がメッシュの中に織り込まれる前の糸の直径を指す。糸の直径及びメッシュ数は、合せて、メッシュ孔を決定する。メッシュ孔とは、隣接する糸の間の間隔である。メッシュ孔のサイズは、使用され得る最大粒径を左右し、全ての印刷される細部及び配合物剥離特性に影響を与える。フィルム形成組成物の最適なメッシュ通過のためには、最大粒径は、メッシュ孔の約１／３未満でなければならない。
【００２０】
それらに関連するいくつかの典型的なメッシュサイズ及び細孔は、以下の通りである。
【００２１】
【表１】
2017510474.tif 000003
【００２２】
本発明の印刷マスクの生産において、材料の選択は決定的ではない。当業者は、マスクが、アルミニウム合金、ステンレス鋼、Ｎｉ合金、Ｃｒ合金等の金属；ポリイミド、ポリエステル、エポキシ、ポリカーボネート、ポリエチレン、ポリエチレンテレフタレート（ＰＥＴ）、ポリプロピレン等のマスク等の樹脂；ガラス；紙；木；若しくはボール紙、及びそれらの組み合わせを含むが、それらには限定されない構造的材料から作製されてもよいことを認識するであろう。別の例として、マスク本体は、ガラス繊維入りのポリイミド、ポリエステル、又はエポキシ等の複合材料から作製されてもよい。マスク本体は、これらの材料からのシートにおいて形成される。シートの厚さは、２０〜２０００マイクロメートル（μｍ）であってもよいが、取り扱いの容易性及び他の考慮すべき事項のため、厚さは、好ましくは２０〜８０μｍである。
【００２３】
好ましい実施形態では、マスクは、均一な厚さを有する。しかしながら、機械方向に沿って変化する厚さを有するマスクを用いることは可能である。例えば、マスクは、機械方向に沿って中央の肥厚部分及びテーパー状の端部を有しても良い。
【００２４】
本発明の一実施形態によるマスクの一例は、図２に示されるステンシルである。このマスクは、フラットベッドステンシル印刷装置で使用されてもよい。図３に示される代替的な実施形態では、マスクは、回転式ステンシル印刷装置内のドラムの表面上に配されてもよい。追加的な変形例としては、フラットベッドスクリーン印刷マスク（図４）及び回転式スクリーン印刷マスク（図５）が挙げられる。
【００２５】
工程２０では、マスクは、剥離性表面を有する基材上に載置される。この剥離性表面は、無端ベルト（連続する可撓性ウェブ、連結された圧盤等）であってもよく、又はそれは、剥離ライナーのウェブであってもよい。表面は、二硫化モリブデン、グラファイト、二硫化タングステン等の乾燥フィルム潤滑剤、又は一般的に当業者に公知の油脂の使用を通じて改質されてもよい。典型的な剥離表面は、シリコーン、ポリテトラフルオロエチレン（ＰＴＦＥ）、ワックス、ポリマー、研磨された金属、又はそれらの組み合わせを含んでいてもよい。上で図２〜５で示されているように、この方法は、フラットベッド装置又は回転式装置を用いてもよい。印刷装置は、剥離性表面を有する基材のための支持部と、マスクを通してフィルム形成組成物を送達するためのシステムと有するであろう（工程３０）。
【００２６】
送達システムは、しばしば、フィルム形成組成物をマスクへ提供するための導管と、組成物をマスク開口部へ推進するための装置とを含む。このような装置は、ブレード状構造物（ナイフ、スキージ、ドクタブレード、ワイパブレード、ワイパー等とも呼ばれる）、ノズル等を含む。羽根角は、一般に、組成物をマスク開口部内へ、及び基材へ移動させるために適用される相対力を決定する。羽根角（ブレード及びマスク上面によって画定される刃先角）は、フィルム形成組成物の流動特性と共に動作するように最適化されるであろう。角度が小さすぎると、ブレードとマスク上面との間の境界面にフィルム形成組成物が供給され得ず、角度が大きすぎると、組成物をマスク開口部内へ送達するのに十分な圧力が提供されないであろう。本発明の一実施形態では、羽根角は、好ましくは約４５°未満、より好ましくは、約２０°〜４０°である。より厚いステンシルを充填するためには、羽根角が小さく、約３０°未満であると、より多くの材料を押し出すためによりよく機能する。一定圧の下で材料を供給する加圧ノズルも、ステンシルを充填するために使用されてもよい。
【００２７】
図２の実施形態では、剥離性表面２０６を有する基材２０４のためのフラットベッド支持部２０２、簡単な平坦型ステンシル（マスク１０２）、及びスキージ２０８を組み込んだ簡単なフラットベッドステンシルシステム２００が示されている。この方法では、フィルム形成組成物は、マスク／基材の組立体上に堆積され、スキージは、マスク開口部を横切ってフィルム形成組成物をワイプし、マスク及び基材によって画定される窪みを充填させる。次に、余分なフィルム形成組成物は、マスク開口部の近傍から取り除かれる。
【００２８】
図３（図３Ａを含む）の実施形態では、より複雑なシステム３００は、印刷ドラム３０４の外表面として示されるステンシル（マスク３０２）を組み込んでいる。フィルム形成組成物は、導管３０６を介してドラム３０４の内部へ送達され、マニホールド３０８へ提供される。マニホールド３０８は、フィルム形成組成物３１２をマスク３０２を通して基材３１４へ送達するように配置及び構成された開放スロットノズル３１０を有し、マスク３０２の開口部３１６は、基材支持部３１８によって支持される。次に、マニホールドノズル３１０は、マスク３０２及び基材３１４がノズル３１０を通り越して運ばれていくとき、マスク開口部３１６を横切ってフィルム形成組成物３１２を送達し、ワイプし、マスク開口部３１６及び基材３１４によって画定される窪みを充填させる。マスク開口部３１６がノズル３１０から離れると、スキージ３２０は、余分なフィルム形成組成物をステンシル（マスク３０２）の上面からワイプする。次に、得られた粗形状体３２２は、凝固ステーション（図示せず）へ移動され、そこで粗形状体は、インテグラルフィルム製品へ変換される。
【００２９】
図４の実施形態では、図２の開放ステンシルは、スクリーンマスクによって置き換えられている。再び、システム４００は、基材４０４のためのフラットベッド支持部４０２、簡単な；スクリーン４０８上に形成されたマスク４０６、及びスキージ４１０を含む。
【００３０】
この方法では、フィルム形成組成物は、スクリーン４０８上に堆積され、スキージ４１０は、スクリーン４０８を横切ってフィルム形成組成物をワイプする。スキージ４１０のスクリーン４０８に対する相対運動は、フィルム形成組成物をスクリーン４０８を通して押し通す。スクリーン４０８と関連付けられたマスク４０６は、所望の形状の１つ又は２つ以上の開口部を画定する。再び、マスク４０６の厚さは、一般に、得られるインテグラルフィルム製品の厚さを定める（下で説明される凝固工程６０中の幾分かの収縮の原因となる。マスク４０６は、スキージの圧力のために基材４０４に接触し、基材に対する局所的なシールを形成して所望の形状からのフィルム形成組成物の逃散を防止する。スクリーン４０８及び基材４０４の剥離性表面は、フィルム形成組成物とスクリーンとの間の面親和性よりも高いフィルム形成組成物と剥離性基材表面との間の面親和性を提供するように選択される。
【００３１】
最後に、図５は、別のより複雑なシステム５００がスクリーン５０４上に形成されたマスク５０２を組み込んでいるのを図示している。マスクとスクリーンとの組み合わせは、印刷ドラム５０６へと形成される。フィルム形成組成物は、導管を介してドラム５０６の内部へ送達され、スクリーン５０４の内表面へ送達される。図４に関して上記されているように、ブレード又はスキージ５０８は、フィルム形成組成物をスクリーン５０４へ、次に基材５１０へ移動させる。
【００３２】
工程４０は、マスクを取り外すことを伴う。図２のシステムに関連して、ひとたびスキージ２０８がステンシル（マスク１０２）を横切ってフィルム形成組成物をワイプすると、ステンシル（マスク１０２）は、基材２０４から取り外され、得られた粗形状体２１０（図６及び７に示されている）は、次に凝固ステーション（図示せず）へ移され、そこで粗形状体２１０は、インテグラルフィルム製品２１２（図７に示されている）へ変換される。図６Ａに示されているように、フィルム形成組成物２１４は、マスク開口部１０４及び基材２０４（図２に記載されている）によって画定される窪みを充填する。ステンシル（マスク１０２）が基材２０４から取り外された後、粗形状体２１０は、ステンシル（マスク１０２）によって画定された形状を実質的に維持する。しかしながら、粗形状体２１０の境界が幾分か変化し得ることは本発明の範囲内に属する。例えば、ニュートン流体の表面張力は、拘束するステンシル（マスク１０２）の取り外し後に、粗形状体２１０の上縁部２１６を直角から図６Ｂに示されているような曲線縁へ軟化させる可能性が高い。一方、図６Ｃに示されているように、非ニュートン組成物の上縁部２１６’は、より剛性であり得、拘束するステンシル（マスク１０２）の取り外し中に乱され得る。したがって、一部の粗形状体２１０’は、基材から取り外されるときにステンシル（マスク１０２）と共に引きずられ得るため、「水切り」２１８が上縁部から延在してもよい。あるいは、上縁部２１６’’は、粗形状体２１０’’の側面に対してほぼ直角の角度を形成してもよい（図６Ｄ）。
【００３３】
回転式の方法（例えば図５に示されているような）では、基材５１０が印刷ドラム５０６から遠ざかっていくとき、印刷ドラム５０６の表面上のマスク５０２が基材５１０の平面の外へと回転するにつれて、粗形状体５１２が露出される。再び、粗形状体５１２は、凝固ステーション（図示せず）へ進み、そこで粗形状体５１２は、基材から独立した使用のために基材の剥離性表面から取り外されるインテグラルフィルム製品へ変換される。回転式の方法は、粗形状体からのマスクの迅速な取り外しも提供する。これは、フィルム形成組成物がマスクと基材との間で吸い上げられる機会が少なくなるため、印刷品質を改善し得る。
【００３４】
工程６０では、インテグラルフィルム製品は、基材から独立した使用のために基材の剥離性表面から取り外される。本発明による方法が、剥離ライナー付きのウェブを基材として用いる場合、剥離ライナー付きのウェブは、キャリアとして使用され、消費者に引き渡されるまでインテグラルフィルム製品と共に適切なサイズの一次パッケージング内に包装されてもよい。消費者は、次に、インテグラルフィルム製品を基材から取り外し、それを所望のように使用することができる。あるいは、本発明による方法が剥離性表面を有する無端ベルト又は製造設備に統合された他の基材を用いる場合、インテグラルフィルム製品は、基材の剥離性表面から取り外され、消費者への引き渡しのために包装される。インテグラルフィルム製品は、薬用絆創膏におけるような接着性の表面を有してもよく、又は経口ストリップ等におけるような非粘着性の表面を有してもよい。
【００３５】
上で一般的に説明された方法を要約するため、図７Ａ〜７Ｅは、方法の要素を断面図で示している。工程２０では、開口部１０４を有するマスク１０２は、基材２０４（図７Ａ）上に載置される。工程３０では、マスク開口部１０４は、フィルム形成組成物２１４によって充填され（図７Ｂ）、マスク１０２は、工程４０で取り外され、基材２０４上に粗形状体２１０を残す（図７Ｃ）。工程５０（図７Ｄ）では、粗形状体２１０は、凝固されてインテグラルフィルム製品２１２（水等の溶媒の除去のために低減した厚さを有するとして示されている）を形成する。最後に、インテグラルフィルム製品２１２は、基材２０４（図７Ｅ）から取り外される。
【００３６】
本発明において用いられるフィルム形成組成物は、ホットメルト組成物、すなわち溶融されて流動性液体を形成し、堆積されて粗形状体を形成し得、これが次に冷えてインテグラルフィルム製品を形成し得る固体材料の形態であってもよい。あるいは、フィルム形成組成物は、少なくともフィルム形成成分及びキャリアを含んでいてもよい。追加的な成分としては、乳化剤、界面活性剤、可塑剤、有効成分、芳香、着色料、香料、及び当業者に公知の他の成分が挙げられ得るが、それらには限定されない。キャリアは、好ましくは液体であり、溶媒又は希釈剤であってもよい。好ましいキャリアとしては、水及びアルコールが挙げられる。
【００３７】
本発明の水溶性ポリマーは、本発明のフィルムを生産するのに有用なフィルム形成特性を有する。本発明のフィルムでは、多くの水溶性ポリマーが使用され得る。代表的な、非限定的な一覧には、プルラン、セルロースエーテル（ヒドロキシプロピルメチルセルロース、ヒドロキシエチルセルロース、ヒドロキシプロピルセルロース等）、ポリビニルピロリドン、カルボキシメチルセルロース、ポリビニルアルコール、アルギン酸ナトリウム、ポリエチレングリコール、トラガカントゴム、グアーゴム、アカシアゴム、アラビヤゴム、ポリアクリル酸、メタクリル酸メチルコポリマー、カルボキシビニルポリマー、アミロース、澱粉（高アミロース澱粉及びヒドロキシプロピル化高アミロース澱粉等）、デキストリン、ペクチン、キチン質、キトサン、レバン、エルシナン、コラーゲン、ゼラチン、ゼイン、グルテン、大豆タンパク単離体、乳清タンパク単離体、カゼイン及び／又はそれらの混合物が含まれる。
【００３８】
好ましい一実施形態では、キャリアは、水である。代替的な実施形態では、従来から使用されている有機溶媒が溶媒として用いられてもよい。有用な溶媒の代表的な、非限定的な一覧には、メタノール、エタノール、プロパノール、ブタノール、３−メトキシ−３−メチル−１−ブタノール、及び３−メトキシ−１−ブタノール等の一価のアルコール；３−メトキシプロピオン酸メチル、及び３−エトキシプロピオン酸エチル等のアルキルカルボン酸エステル；エチレングリコール、ジエチレングリコール、及びプロピレングリコール等の多価アルコール；エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコールモノエチルエーテル、プロピレングリコールモノプロピルエーテル、プロピレングリコールモノブチルエーテル、エチレングリコールモノメチルエーテルアセテート、エチレングリコールモノエチルエーテルアセテート、及びプロピレングリコールモノメチルエーテルアセテート等の多価アルコール誘導体；酢酸及びプロピオン酸等の脂肪酸；アセトン、メチルエチルケトン、及び２−ヘプタノン等のケトンが含まれる。これらの有機溶媒は、単独で、又は組み合わせて使用されてもよい。
【００３９】
フィルム製品は、アニオン性、両性、非イオン性、及びカチオン性の界面活性剤又はそれらの混合物を含む少なくとも１つの界面活性剤も含有してもよい。
【００４０】
アニオン性界面活性剤の代表的な、非限定的な一覧には、単独で、又は混合状態で、以下の化合物の塩（例えば、ナトリウム等のアルカリ金属の塩、アンモニウム塩、アミンの塩、アミノアルコールの塩、又はマグネシウム塩）が含まれる。すなわち、アルキルサルフェート、アルキルエーテルサルフェート、アルキルアミドエーテルサルフェート、アルキルアリールポリエーテルサルフェート、モノグリセリドサルフェート、アルキルスルホナート、アルキルホスフェート、アルキルアミドスルホナート、アルカリールスルホナート、α−オレフィンスルホナート、パラフィンスルホナート；アルキルスルホサクシネート、アルキルエーテルスルホサクシネート、アルキルアミドスルホサクシネート、アルキルスルホサクシナメート、アルキルスルホアセテート、アルキルエーテルホスフェート、アシルサルコシネート、アシルイセチオネート、及びＮ−アシルタウレートであり、これらの全ての様々な化合物のアルキル又はアシルラジカルは、例えば８〜２４個の炭素元素及びフェニル又はベンジル基等のアリールラジカルを有する。
【００４１】
少なくとも１つの実施形態によれば、塩には、オレイン酸、リシノール酸、パルミチン酸、ステアリン酸の塩等の脂肪酸の塩、コプラ油又は水素添加コプラ油の酸、アシルラジカルが８〜２０個の炭素原子を有するアシルラクチレート、アルキルＤ−ガラクトシドウロン酸及びそれらの塩、並びにポリオキシアルキレン化アルキル（Ｃ６〜Ｃ２４）エーテルカルボン酸、ポリオキシアルキレン化アルキル（Ｃ６〜Ｃ２４）アリールエーテルカルボン酸、ポリオキシアルキレン化アルキル（Ｃ６〜Ｃ２４）アミドエーテルカルボン酸及びそれらの塩、例えば２〜５０個のエチレンオキサイド基を有するもの、並びにそれらの混合物が含まれる。
【００４２】
両性界面活性剤の代表的な、非限定的な一覧には、単独か混合かにかかわらず、脂肪族ラジカルが８〜２２個の炭素原子を有し、少なくとも１つの水溶性アニオン基（例えば、カルボキシレート、スルホネート、サルフェート、ホスフェート、又はホスホネート）を含む直鎖及び分岐鎖である脂肪族第二級又は第三級アミンの誘導体；アルキル（Ｃ８〜Ｃ２０）ベタイン、スルホベタイン、ココアミドプロピルベタイン等のアルキル（Ｃ８〜Ｃ２０）アミドアルキル（Ｃ１〜Ｃ６）ベタイン、又はアルキル（Ｃ８〜Ｃ２０）アミドアルキル（Ｃ１〜Ｃ６）スルホベタインが含まれる。
【００４３】
非イオン性界面活性剤の代表的な、非限定的な一覧には、単独か混合かにかかわらず、例えば８〜１８個の炭素原子を有する脂肪族鎖を有するアルコール、α−ジオール、アルキルフェノール、又はポリエトキシル化、ポリプロポキシル化、若しくはポリグリセロール化された脂肪酸が含まれ、エチレンオキサイド基又はプロピレンオキサイド基の数は、任意に２〜５０の範囲内であってもよく、グリセロール基の数は、任意に２〜３０の範囲内であってもよい。
【００４４】
製薬分野において公知のいずれの可塑剤も、フィルム製品における使用に好適である。これらには、ポリエチレングリコール；グリセリン；ソルビトール；クエン酸トリエチル；クエン酸トリブイル；ジブチルセベカーテ；ヒマシ油等の植物油；ポリソルベート、ラウリル硫酸ナトリウム、ジオクチルソジウムスルホサクシネート等の界面活性剤；プロピレングリコール；グリセロールのモノアセテート；グリセロールのジアセテート；グリセロールのトリアセテート；天然ゴム及びそれらの混合物が含まれるが、それらには限定されない。
【００４５】
本発明のフィルム製品は、顔料又は染料等の少なくとも１つの着色剤も含有してもよい。好適な顔料の例としては、無機顔料、有機顔料、レーキ、真珠光沢顔料、虹色又は光学的に変化する顔料、及びそれらの混合物が挙げられるが、それらには限定されない。顔料は、無機又は有機、白又は有色の粒子を意味すると理解されるべきである。該顔料は、本発明の範囲内において任意追加的に表面処理されてもよいが、シリコーン、パーフルオロ化化合物、レシチン、及びアミノ酸等の処理に限定されない。
【００４６】
本発明において有用な無機顔料の代表的な例としては、カラーインデックスにおいて参照ＣＩ  ７７，８９１でコード化されているルチル型又はアナターゼ型の二酸化チタン；参照ＣＩ  ７７，４９９、７７，４９２、及び７７，４９１でコード化されている黒、黄色、赤褐色の酸化鉄；マンガンバイオレット（ＣＩ  ７７，７４２）；群青（ＣＩ  ７７，００７）；酸化クロム（ＣＩ  ７７，２８８）；水酸化クロム（ＣＩ  ７７，２８９）；及び紺青（ＣＩ  ７７，５１０）からなる群から選択されるもの並びにそれらの混合物が挙げられる。
【００４７】
本発明において有用な有機顔料及びレーキの代表的な例としては、Ｄ＆Ｃ赤１９番（ＣＩ  ４５，１７０）、Ｄ＆Ｃ赤９番（ＣＩ  １５，５８５）、Ｄ＆Ｃ赤２１番（ＣＩ  ４５，３８０）、Ｄ＆Ｃ橙４番（ＣＩ  １５，５１０）、Ｄ＆Ｃ橙５番（ＣＩ  ４５，３７０）、Ｄ＆Ｃ赤２７番（ＣＩ  ４５，４１０）、Ｄ＆Ｃ赤１３番（ＣＩ  １５，６３０）、Ｄ＆Ｃ赤７番（ＣＩ  １５，８５０）、Ｄ＆Ｃ赤６番（ＣＩ  １５，８５０）、Ｄ＆Ｃ黄５番（ＣＩ  １９，１４０）、Ｄ＆Ｃ赤３６番（ＣＩ  １２，０８５）、Ｄ＆Ｃ橙１０番（ＣＩ  ４５，４２５）、Ｄ＆Ｃ黄６番（ＣＩ  １５，９８５）、Ｄ＆Ｃ赤３０番（ＣＩ  ７３，３６０）、Ｄ＆Ｃ赤３番（ＣＩ  ４５，４３０）及びコチニールカルミン（ＣＩ  ７５，５７０）に基づく染料又はレーキ並びにそれらの混合物が挙げられるが、それらには限定されない。
【００４８】
本発明において有用な真珠光沢顔料の代表的な例としては、酸化チタンでコーティングされた雲母、二酸化チタンでコーティングされた雲母、ビスマスオキシクロライド、チタンオキシクロライド等の白色真珠光沢顔料、酸化鉄を含むチタンマイカ、紺青、酸化クロム等を含むチタンマイカ、上記種類の有機顔料及びビスマスオキシクロライドをベースとするものを含むチタンマイカ等の有色真珠光沢顔料、並びにそれらの混合物からなる群から選択されるものが挙げられる。
【００４９】
本発明の化粧品組成物において用いられる着色剤の正確な量及び種類は、化粧品組成物の色、強度、及び用途に依存し、結果として、化粧品配合物の当業者によって決定されるであろう。
【００５０】
当技術分野で公知の任意の増粘剤が任意追加的にフィルムに添加されてもよい。好適な増粘剤としては、シクロデキストリン、結晶性炭水化物等、並びにそれらの誘導体及び組み合わせが挙げられるが、それらには限定されない。好適な結晶性炭水化物としては、モノサッカライド及びオリゴ糖が挙げられる。モノサッカライドのうち、アルドヘキソース、例えばアロース、アルトロース、グルコース、マンノース、グロース、イドース、ガラクトース、タロースのＤ体及びＬ体、並びにケトヘキソース、例えば、フルクトース及びソルボースのＤ体及びＬ体並びにそれらの水素添加類似物、例えば、グルシトール（ソルビトール）、及びマンニトールが好ましい。オリゴ糖のうち、１，２−ジサッカライドスクロース及びトレハロース、１，４−ジサッカライドマルトース、ラクトース、及びセロビオース、並びに１，６−ジサッカライドゲンチオビオソース及びメリビオース、並びにトリサッカライドラフィノースが、イソマルツロースとして知られるスクロースの異性化形及びその水素添加類似物と共に、好ましい。還元性ジサッカライド（マルトース及びラクトース等）の他の水素添加形、例えば、マルチトール及びラクチトールも好ましい。なお、アルドペントースの水素添加形（例えば、Ｄ型及びＬ型のリボース、アラビノース、キシロース、及びリキソース）、並びにアルドテトロースの水素添加形（例えば、Ｄ型及びＬ型のエリトロース及びトレオースが好適であり、それぞれ、キシリトール及びエリスリトールによって例示される。
【００５１】
当技術分野で公知の防腐剤は、任意追加的にフィルムに添加されてもよい。好適な防腐剤としては、塩化ベンザルコニウム、ベンジルアルコール、２−ブロモ−２−ニトロプロパン、ブチルパラベン、クロルヘキシジンジグルコネート、クロルフェニスム、デヒドロ酢酸、クエン酸、ジアゾリジニル尿素、ＤＭＤＭヒダントイン、エチルパラベン、ホルムアルデヒド、イミダゾリジニル尿素、イソブチルパラベン、メチルイソチアゾリノン、メチルパラベン、フェノキシエタノール、ポリアミノプロピルビグアナイド、ソルビン酸カリウム、プロピルパラベン、クオタニウム−１５、サリチル酸、安息香酸ナトリウム、デヒドロ酢酸ナトリウム、二亜硫酸ナトリウム、サリチル酸ナトリウム、亜硫酸ナトリウム、ソルビン酸、ステアラルコニウムクロリド、トリクロサン、及びジンクピリチオンが挙げられるが、それらには限定されない。
【００５２】
一部の実施形態では、「マイクロビーズ」又は他の粒子材料は、スクラブ洗顔料及びボディーソープ等のパーソナルケア製品に使用されるフィルム製品中に「スクラブ粒子」又は「角質取り」として組み込まれて、使用されてもよい。マイクロビーズとは、一般に約１，０００μｍ未満、しばしば約７５０μｍ未満の粒径を有する微細粒子である。しばしば、局所適用組成物及び／又は皮膚洗浄組成物は、マイクロビーズ、すなわち約３００μｍ未満、及び好ましくは約１００μｍ未満のサイズを有する粒子を組み込んでいる。軽石等の粒子は、３５〜１４００μｍの範囲であってもよい。局所適用組成物は、一般に、約１００μｍの粒径を有する軽石を用いる。粒径は、一般にスクリーンの孔の約１／３未満であるため、スクリーンマスクを用いる場合、粒径が考慮されるべきである。考慮すべきスクリーンの限界があるため、より大きな粒子については、ステンシルを使用するのがより有利である。マイクロビーズは、一般に均質な材料であってもよく、軽石、ポリエチレン、ガラス、酸化アルミニウム、二酸化チタン、ヒドロキシプロピルメチルセルロース（ＨＰＭＣ）等のセルロース、又はビタミンＥを含んでもよい。あるいは、マイクロビーズは、望ましい材料がその材料の環境への放出を遅延させるために被覆材料内にカプセル化されている、マイクロカプセル化粒子の形態であってもよい。マイクロカプセル化粒子は、粘着剤及び／又は以下でより詳細に説明される１つ又は２つ以上の有益剤を含んでもよい。
【００５３】
好ましい実施形態では、フィルム形成組成物は、例えば図６Ｂに示されているように、有益剤を含む。得られるインテグラルフィルム製品２１２は、基材２０４の剥離性表面２０６上に形成される第１の表面２２０、及びそれと対向する、上縁部２１６によって画定される第２の表面２２２を有する。第１の表面２２０は、それを通して有益剤を送達するように配置及び構成される。例えば、第１の表面２２０は、製造及び消費者による使用に先立つ貯蔵の間、可撓性基材上の剥離ライナーによって保護されてもよい。他方、第２の表面２２２は、粗形状体２１０の凝固の間、周囲条件に暴露される。したがって、第１の表面２２０は、基材２０４からの取り外し後に粘着性であってもよく、消費者の皮膚に粘着してもよい。第２の表面２２２は、インテグラルフィルム製品２１２への変換の間に「すっかり乾いて」もよい。したがって、粘着性の第１の表面２２０は、消費者の皮膚への有益剤の送達に理想的である。
【００５４】
本明細書及び請求項において使用される場合、用語「有益剤」及びその変化形は、要素、イオン、化合物（例えば、合成化合物若しくは天然資源から単離された化合物）又は固体（例えば、粒子）、液体、若しくは気体状態にある他の化学部分及び皮膚に対する化粧的若しくは治療的効果を有する化合物に関する。
【００５５】
本発明の組成物は、１つ又は２つ以上の有益剤又は製薬上許容できるそれらの塩及び／若しくはエステルを更に含んでもよく、有益剤は、一般に、皮膚と相互に作用し、それに対して利益を提供することができる。本明細書で使用される場合、用語「有益剤」は、所望の場所において皮膚の内部及び／又は上に送達されるべき、化粧品又は医薬品等の任意の有効成分を含む。
【００５６】
本明細書で有用な有益剤は、それらの治療的利益又はそれらの想定された作用機序によって分類されてもよい。しかしながら、本明細書で有用な有益剤は、一部の情況下で２つ以上の治療的利益を提供し、又は１つ以上の作用機序を介して作用し得ることを理解されたい。したがって、本明細書で提供される特定の分類は、便宜上なされたものであり、列挙される特定の適用（複数可）へ有益剤を限定することを意図したものではない。
【００５７】
好適な有益剤の例としては、皮膚に利益を提供するものが挙げられ、例えば、以下に限定されるものではないが、色素脱失剤；反射剤；フィルム形成ポリマー；アミノ酸及びそれらの誘導体；抗菌剤；アレルギー抑制剤；抗ニキビ剤；老化防止剤；防しわ剤、消毒剤；鎮痛剤；てかり制御剤；抗そう痒剤；局所麻酔薬；抗脱毛剤；育毛剤；毛髪成長抑制剤、抗ヒスタミン剤；抗感染剤；抗炎症剤；抗コリン作用薬；血管収縮薬；血管拡張薬；創傷治癒促進剤；ペプチド、ポリペプチド、及びタンパク質；防臭剤及び制汗剤；薬剤；皮膚引き締め剤、ビタミン；美白剤；皮膚黒化剤；抗菌剤；脱毛剤；対向刺激薬；痔疾用剤；殺虫剤；角質除去又は他の機能的利益のための酵素；酵素阻害剤；ツタウルシ製品；ウルシ製品；やけど製品；おむつかぶれ薬；あせも薬；ビタミン；ハーブ抽出物；ビタミンＡ及びその誘導体；フラベノイド；感覚剤；抗酸化剤；毛髪脱色剤；日焼け止め；抗浮腫剤、ネオコラーゲン向上剤、フィルム形成ポリマー、キレート剤；抗フケ／脂漏性皮膚炎／乾癬剤；角質溶解剤；並びにそれらの混合物が挙げられる。
【００５８】
加えて、有益剤は、皮膚に対して受動的利益も提供し得る。したがって、有益剤は、保湿剤又は皮膚軟化剤、皮膚の軟化剤又はコンディショナー、メークアップ調剤等の成分、及びそれらの混合物を含む組成物の中に配合されてもよい。
【００５９】
好適な抗浮腫剤の例としては、非排他的に、ビサボロール天然、合成ビサボロール、コルチコステロイド、β−グルカン、及びそれらの混合物が挙げられる。
【００６０】
好適な血管収縮薬の例としては、非排他的に、セイヨウトチノキ抽出物、サンショウ、ペルオキシド、テトラヒドロザリン、及びそれらの混合物が挙げられる。
【００６１】
好適な抗炎症剤の例としては、非排他的に、ベノキサプロフェン、ツボクサ、ビサボロール、ナツシロギク（全体）、ナツシロギク（パルテノライド不含）、緑茶抽出物、緑茶濃縮物、過酸化水素、サリチル酸塩、オート麦油、カモミール、及びそれらの混合物が挙げられる。
【００６２】
ネオコラーゲン向上剤の例としては、非排他的に、ビタミンＡ及びその誘導体（例えば、β−カロチン、並びにレチノイン酸等のレチノイド、レチナール、レチニルパルミテート、レチニルアセテート、及びレチニルプロピオネート等の及びレチニルエステル）；アスコルビン酸、リン酸アスコルビル、アスコルビン酸パルミテート、及びアスコルビン酸グルコシド等のビタミンＣ及びその誘導体；銅ペプチド；ラクトース、メリビオース、及びフルクトース等の単純な糖；及びそれらの混合物が挙げられる。
【００６３】
酵素の例としては、パパイン、ブロメライン、ペプシン、及びトリプシンが挙げられる。
【００６４】
好適な皮膚引き締め剤の例としては、非排他的に、ジメチルアミノエタノール（「ＤＭＡＥ」）等のアルカノールアミンが挙げられる。
【００６５】
好適な抗そう痒剤及び皮膚保護剤の例としては、非排他的に、ひき割りオート麦、β−グルカン、ナツシロギク、大豆製品（「大豆製品」によって、米国特許出願第２００２〜０１６００６２号に記載されているような大豆由来の物質が意味される）、重曹、コロイド状ひき割りオート麦、ルリハコベ、メマツヨイグサ、バーベナ等が挙げられる。本明細書で使用される場合、コロイド状ひき割りオート麦は、第１又は第２オート麦の米国基準を満たす全粒粉オート麦の粉砕及び更なる加工から得られる粉末を意味する。コロイド状ひき割りオート麦は、以下の粒径分布を有する。すなわち、全粒子の３パーセント以下が１５０マイクロメートルのサイズを超え、全粒子の２０パーセント以下が７５マイクロメートルのサイズを超える。好適なコロイド状ひき割りオート麦の例としては、Ｂｅａｃｏｎ  Ｃｏｒｐｏｒａｔｉｏｎ（ケニルワース、ニュージャージー州）から入手可能な「Ｔｅｃｈ−Ｏ」及びＱｕａｋｅｒ（シカゴ、イリノイ州）から入手可能なコロイド状ひき割りオート麦が挙げられるが、それらには限定されない。
【００６６】
好適な反射剤の例としては、非排他的に、雲母、アルミナ、ケイ酸カルシウム、グリコールジオレエート、グリコールジステアレート、シリカ、ナトリウムフッ化ケイ素酸マグネシウム、及びそれらの混合物が挙げられる。
【００６７】
皮膚黒化剤の例としては、非排他的に、ジヒドロキシアセトン、エリトロース、メラニン、及びそれらの混合物が挙げられる。
【００６８】
好適なフィルム形成ポリマーの例としては、乾燥後に、皮膚又は爪上に実質的に連続的な被覆又はフィルムを生じさせるものが挙げられる。好適なフィルム形成ポリマーの非排他的な例としては、アクリルアミドプロピルトリモニウムクロリド／アクリルアミドのコポリマー；コーンスターチ／アクリルアミド／アクリル酸ナトリウムのコポリマー；ポリクオタニウム−１０；ポリクオタニウム−４７；ポリビニルメチルエーテル／無水マレイン酸のコポリマー；スチレン／アクリレートのコポリマー；及びそれらの混合物が挙げられる。
【００６９】
保湿及びコンデショニング特性を提供することができる市販入手可能な保湿剤としては、非排他的に、（ｉ）グリセリン、プロピレングリコール、ヘキシレングリコール、ブチレングリコール、ペンチレングリコール、ジプロピレングリコール、及びそれらの混合物を含む群から選択される水溶性液体ポリオール、（ｉｉ）Ｒ’’は、約２〜約４個の炭素原子を有するアルキレン基であり、ｂは、約１〜約１０の整数である、ＰＥＧ  ４等の、式ＨＯ−（Ｒ’’Ｏ）ｂ−Ｈのポリアルキレングリコール、（ｉｉｉ）ｃは、約５〜約２５の整数である、式ＣＨ３−Ｃ６Ｈ１０Ｏ５−（ＯＣＨ２ＣＨ２）ｃ−ＯＨのメチルグルコースのポリエチレングリコールエーテル、（ｉｖ）尿素、（ｖ）フルクトース、（ｖｉ）グルコース、（ｖｉｉ）はちみつ、（ｖｉｉｉ）乳酸、（ｉｘ）マルトース、（ｘ）グルクロン酸ナトリウム、並びに（ｘｉ）それらの混合物が挙げられ、グリセリンが、代表的な保湿剤である。
【００７０】
好適なアミノ酸及び誘導体としては、様々なタンパク質の加水分解由来のアミノ酸、並びにそれらの塩、エステル、及びアシル誘導体が挙げられる。このようなアミノ酸剤の例としては、非排他的に、アルキルアミドアルキルアミン等の両性アミノ酸、すなわちステアリルアセチルグルタメート、カプリロイルシルクアミノ酸、カプリロイルコラーゲンアミノ酸；カプリロイルケラチンアミノ酸；カプリロイルピーアミノ酸；ココジモニウムヒドロキシプロピルシルクアミノ酸；コーングルテンアミノ酸；システイン；グルタミン酸；グリシン；毛髪ケラチンアミノ酸；アスパラギン酸、トレオニン、セリン、グルタミン酸、プロリン、グリシン、アラニン、シスチン、バリン、メチオニン、イソロイシン、ロイシン、チロシン、フェニルアラニン、システイン酸、リジン、ヒスチジン、アルギニン、システイン、トリプトファン、シトルリン等のアミノ酸；リジン；シルクアミノ酸、小麦アミノ酸；及びそれらの混合物が挙げられる。
【００７１】
好適なタンパク質としては、長鎖、すなわち少なくとも約１０個の炭素原子と、高い分子量、すなわち少なくとも約１０００とを有し、アミノ酸の自己縮合によって形成されるポリマーが挙げられる。このようなタンパク質の非排他的な例としては、コラーゲン、デオキシリボヌクレアーゼ、ヨウ化コーンタンパク質；乳タンパク質；プロテアーゼ；血清タンパク；シルク；スイートアーモンドタンパク質；小麦胚タンパク質；小麦タンパク質；α及びβらせん型のケラチンタンパク質；中間繊維タンパク質、高硫黄タンパク質、超高硫黄タンパク質、中間繊維関連タンパク質、高チロシンタンパク質、高グリシンチロシンタンパク質、トリコヒアリン等の毛髪タンパク質、及びそれらの混合物が挙げられる。
【００７２】
好適なビタミンの例としては、非排他的に、チアミン、ニコチン酸、ビオチン、パントテン酸、コリン、リボフラビン、ビタミンＢ３、ビタミンＢ６、ビタミンＢ１２、ピリドキシン、イノシトール、カルニチンを含む様々な形態のビタミンＢ複合体；ビタミンＡ、Ｃ、Ｄ、Ｅ、Ｋ及びビタミンＡパルミテート等のそれらの誘導体、並びにビタミン前駆体、例えば（すなわち、パンテノール（ビタミンＢ５前駆体）及びパンテノールトリアセテート）、並びにそれらの混合物が挙げられる。
【００７３】
好適な抗菌剤の例としては、非排他的に、バシトラシン、エリスロマイシン、ネオマイシン、テトラサイクリン、クロルテトラサイクリン、塩化ベンゼトニウム、フェノール、ベンジルペルオキシド、銀などの金属塩又はイオン及びその塩、並びにそれらの混合物が挙げられる。
【００７４】
好適な皮膚軟化剤及び皮膚保湿剤の例としては、非排他的に、鉱物油、ラノリン、植物油、イソステアリルイソステアレート、グリセリルラウレート、メチルグルセス−１０、メチルグルセス−２０キトサン、及びそれらの混合物が挙げられる。
【００７５】
好適な毛髪柔軟剤の例としては、非排他的に、不揮発性又は揮発性のいずれかのもの、及び水溶性又は水に不溶性のもの等の、シリコーン化合物が挙げられる。好適なシリコーンの例としては、有機置換ポリシロキサンが挙げられ、モノマー性シリコーン／酸素モノマーの直鎖又は環状のいずれかのポリマーであり、非排他的に、セチルジメチコーン；セチルトリエチルアンモニウムジメチコーンコポリオールフタレート；シクロメチコン；ジメチコーンコポリオール；ジメチコーンコポリオールラクテート；加水分解大豆タンパク質／ジメチコーンコポリオールアセテート；シリコーンクオタニウム１３；ステアラルコニウムジメチコーンコポリオールフタレート；ステアルアミドプロピルジメチコーン；及びそれらの混合物が挙げられる。
【００７６】
日焼け止めの例としては、非排他的に、ベンゾフェノン、ボルネロン、ブチルＰＡＢＡ、シンナムアミドプロピルトリメチルアンモニウムクロリド、ジスチリルビフェニルジスルホネート二ナトリウム、ＰＡＢＡ及びその誘導体（オクチルジメチルＰＡＢＡ等、ブチルメトキシジベンゾイルメタン、イソアミルメトキシシンナメート、メチルベンジリデン樟脳、オクチルトリアゾール、オクチルメトキシシンナメート、オキシベンゾン、オクトクリレン、オクチルサリチレート、ホモサラート、フェニルベンズイミダゾールスルホン酸、エチルヒドロキシプロピルアミノベンゾエート、メンチルアントラニレート、アミノ安息香酸、シノキセート、ジエタノールアミンメトキシシンナメート、グリセリルアミノベンゾエート、二酸化チタン、酸化亜鉛、オキシベンゾン、パジマートＯ、赤ワセリン、ＭＥＸＯＲＹＬ  Ｓ及びＳＸ、ＴＩＮＯＳＯＲＢ  Ｍ及びＳ、並びにそれらの混合物が挙げられる。
【００７７】
美白剤の例としては、非排他的に、ヒドロキノン、カテコール及びその誘導体、アスコルビン酸及びその誘導体、並びにそれらの混合物が挙げられる。
【００７８】
好適な殺虫剤（昆虫忌避剤、抗疥癬及び抗シラミ処置剤を含む）の例としては、非排他的に、ペルメトリン、ピレトリン、ピペロニルブトキシド、イミダクロプリド、Ｎ，Ｎ−ジエチルトルアミド（これは、メタ異性体、すなわち、ＤＥＥＴとしても知られているＮ，Ｎ−ジエチル−ｍ−トルアミドを主として含有する物質を指す）、天然又は合成ピレスロイド（天然ピレスロイドは、除虫菊、ジョチュウギク又はＣコクシネウム（coccineum）の花粉末の抽出物に含まれる）；及びそれらの混合物が挙げられる。式ＩＩＩの構造内には、エチル３−（Ｎ−ブチルアセタミド）プロピオネートがあり、式中、Ｒ７は、ＣＨ３基であり、Ｒ５は、ｎ−ブチル基であり、Ｒ６は、Ｈであり、Ｋは、ＣＯＯＲ８であり、Ｒ８は、エチルであり、これは、Ｍｅｒｃｋ  ＫＧａＡ（ダルムシュタット、ドイツ）から「Ｉｎｓｅｃｔ  Ｒｅｐｅｌｌｅｎｔ  ３５３５」の名称で市販入手可能である。
【００７９】
足の調合剤のための抗菌剤の例としては、非排他的に、トルナフテート及びミコノゾールが挙げられる。
【００８０】
好適な脱毛剤の例としては、非排他的に、チオグリコール酸カルシウム、チオグリコール酸マグネシウム、チオグリコール酸カリウム、チオグリコール酸ストロンチウム、及びそれらの混合物が挙げられる。
【００８１】
外用鎮痛剤及び局所麻酔薬等の好適な鎮痛剤の例としては、非排他的に、ベンゾカイン、ジブカイン、ベンジルアルコール、樟脳、カプサイシン、トウガラシ、トウガラシ含油樹脂、ネズノキタール、メントール、メチルニコチネート、サリチル酸メチル、フェノール、レゾルシノール、テレピン油、及びそれらの混合物が挙げられる。
【００８２】
好適な制汗剤及び防臭剤の例としては、非排他的に、アルミニウムクロロハイドレート、アルミニウムジルコニウムクロロハイドレート、及びそれらの混合物が挙げられる。
【００８３】
好適な対向刺激薬の例としては、非排他的に、樟脳、メントール、サリチル酸メチル、ペパーミント及び丁子油、イクタモール、及びそれらの混合物が挙げられる。
【００８４】
好適な炎症抑制剤の例としては、非排他的に、ヒドロコルチゾン、ワイルドストロベリー、カミツレ、及びセイジが挙げられる。
【００８５】
好適な麻酔成分の例としては、非排他的に、ベンゾカイン、塩酸プラモキシン、リドカイン、ベータカイン、及びそれらの混合物；塩化ベンゼトニウム等の消毒剤；酸化亜鉛、次没食子酸ビスマス、バルサムペルー等の収斂剤、及びそれらの混合物；酸化亜鉛、シリコーン油、ワセリン、タラ肝油、植物油等の皮膚保護剤、並びにそれらの混合物が挙げられる。
【００８６】
フケ、脂漏性皮膚炎、及び乾癬、並びにそれらに関連する症状の治療に効果的なこのような好適な有益剤の例としては、非排他的に、ジンクピリチオン、アントラリン、シェールオイル及びスルホン化シェールオイル等のその誘導体、硫化セレン、硫黄；サリチル酸；コールタール；ポビドンヨード、ケトコナゾール、ジクロロフェニルイミダゾロジオキサラン（「エルビオール」）、クロトリマゾール、イトラコナゾール、ミコナゾール、クリンバゾール、チオコナゾール、スルコナゾール、ブトコナゾール、フルコナゾール、ミコナゾールニトレート等のイミダゾール、並びにそれらの任意の可能な立体異性体及び誘導体；ピロクトンオラミン（オクトピロックス）；シクロピロックスオラミン；ビタミンＤ類似物等の抗乾癬薬、例えば、カルシポトリオール、カルシトリオール、及びタカレイトロール；ビタミンＡのエステル等のビタミンＡ類似物、例えば、ビタミンＡパルミテート及びビタミンＡアセテート、レチニルプロピオネート、レチンアルデヒド、レチノール、及びレチノイン酸；ハイドロコルチゾン、クロベタゾン、ブチラート、クロベタゾールプロピオネートメントール、塩酸プラモキシン等のコルチコステロイド、並びにそれらの混合物が挙げられる。
【００８７】
脱毛を治療するのに好適な有益剤の例としては、これらに限定されるものではないが、ミノキシジル、ジアゾキシド、及びＮ＊−シアノ−Ｎ−（ｔｅｒｔ−ペンチル）−Ｎ’−３−ピリジニル−グアニジン（「Ｐ−１０７５」）等の化合物等のカリウムチャネル開口薬又は末梢血管拡張薬；ノコギリヤシ抽出物、ビタミンＥ及びビタミンＣ等のビタミン、並びにビタミンＥアセテート及びビタミンＣパルミテート等のそれらの誘導体；エリスロポエチン、プロスタグランジンＥｌ及びプロスタグランジンＦ２−α等のプロスタグランジン等のホルモン；オレイン酸等の脂肪酸；スピロノラクトン等のジルレティック；ＨＳＰ  ２７及びＨＳＰ  ７２等の熱ショックタンパク質（「ＨＳＰ」）；ベラパミルＨＣＬ、ニフェジピン、及びジルチアゼムアミロライド等のカルシウムチャネル遮断薬；シクロスポリン及びＦｋ−５０６等の免疫抑制薬；フィナステリド等の５α−還元酵素阻害剤；ＥＧＦ、ＩＧＦ、及びＦＧＦ等の成長因子；トランスフォーミング増殖因子β；腫瘍壊死因子；ベノキサプロフェン等の非ステロイド性抗炎症剤；レチナール及びトレチノイン等のレチノイド；ＩＬ−６、ＩＬ−１α、及びＩＬ−１β等のサイトカイン；ＩＣＡＭ等の細胞接着分子；ベタメタゾン等のグルココルチコイド；アロエ、クローブ、朝鮮人参、ジオウ、センブリ、スイートオレンジ、サンショウ、ノコギリヤシ（ソーパルメット）、アフリカスターグラス（Hypoxis rooperi）、イラクサ、カボチャ種子、及びライ麦花粉等の植物性抽出物；サンドルウッド（sandlewood）、レッドビートの根、キク、ローズマリー、ゴボウを含む他の植物性抽出物、及び他の育毛賦活剤；カリウム・フォスフォリクム（Kalium Phosphoricum）Ｄ２、ニーム（Azadirachta indica）Ｄ２、及びヨボランジ（Joborandi）ＤＩ等のホメオパシー剤；サイトカイン、成長因子、及び頭頂部脱毛症の遺伝子；ケトコナゾール及びエルビオール等の抗菌剤；ストレプトマイシン等の抗生物質；シクロヘキシミド等のタンパク質阻害剤；アセタゾラミド；ベノキサプロフェン；コルチゾン；ジルチアゼム；ヘキサクロロベンゼン；ヒダントイン；ニフェジピン；ペニシラミン；フェノチアジン；ピナシジル；ソラレン、ベラパミル；ジドブジン；以下のルチンのうち少なくとも１つを有するα−グルコシル化ルチン：ケルセチン、イソクエルシトリン、ヘスペジン（hespeddin）、ナリンジン、及びメチルヘスペリジン、並びにそれらのフラボノイド及びトランスグルコシダート化誘導体；並びにそれらの混合物が挙げられる。
【００８８】
育毛の抑制において使用するのに好適な有益剤の例としては、トリプシン等のセリンプロテアーゼ；α−トコフェノール（ビタミンＥ）等のビタミン、及びトコフェノールアセテート及びトコフェノールパルミテート等のそれらの誘導体；ドキソルビシン、シクロホスファミド、クロルメチン、メトトレキサート、フルオロウラシル、ビンクリスチン、ダウノルビシン、ブレオマイシン、及びヒドロキシカルバミド等の抗腫瘍薬；ヘパリン、ヘパリン類似物質、クマエリン、デトラン、及びインダンジオン等の凝固阻止剤；ヨウ素、チオウラシル、及びカルビマゾール等の抗甲状腺薬；リチウム及びリチウムカーボネート；インターフェロンα、インターフェロンα−２ａ、及びインターフェロンα−２ｂ等のインターフェロン；レチノール（ビタミンＡ）、イソトレチノイン等のレチノイド：β−メタゾン、及びデキサメトゾン等のグルココルチコイド；トリパラノール及びクロフィブラート等の抗高脂血症薬；タリウム；水銀；アルベンダゾール；アロプリノール；アミオダロン；アンフェタミン；男性ホルモン；ブロモクリプチン；ブチロフェノン；カルバマゼピン；コレスチラミン；シメチジン；クロフィブラート；ダナゾール；デシプラミン；ジキシラジン；エタンブトール；エチオナミド；フルオキセチン；ゲンタマイシン、金塩；ヒダントイン；イブプロフェン；イムプラミン；免疫グロブリン；インダンジオン；インドメタシン；イントラコナゾール；レバドパ；マプロチリン；メチセルジド；メトプロロール；メチラポン；ナドロール；ニコチン酸；チオシアン酸カリウム；プロプラノロール；ピリドスチミン；サリチル酸塩；スルファサラジン；テルフェナジン；チアンフェニコール；チオウラシル；トリメタジオン；トロパラノール；バルプロ酸；及びそれらの混合物が挙げられる。
【００８９】
好適な老化防止剤の例としては、二酸化チタン及び酸化亜鉛等の無機日焼け止め；オクチル−メトキシシンナメート等の有機日焼け止め及びそれらの誘導体；レチノイド；銅を含有するペプチド；ビタミンＥ、ビタミンＡ、ビタミンＣ、ビタミンＢ等のビタミン、及びビタミンＥアセテート、ビタミンＣパルミテート等のそれらの誘導体；β−カロチン、グリコール酸、クエン酸、乳酸、リンゴ酸、マンデル酸、アスコルビン酸、α−ヒドロキシ酪酸、α−ヒドロキシイソ酪酸、α−ヒドロキシイソカプロン酸、アトロ乳酸、α−ヒドロキシイソ吉草酸、ピルビン酸エチル、ガラクツロン酸、グルコヘプトン酸、グルコヘプトノ１，４−ラクトン、グルコン酸、グルコノラクトン、グルクロン酸、グルクロノラクトン、グリコール酸、ピルビン酸イソプロピル、ピルビン酸メチル、ムチン酸、ピルビン酸、サッカリン酸、サッカリック酸１，４−ラクトン、酒石酸、及びタルトロン酸等のαヒドロキシ酸を含む抗酸化剤；β−ヒドロキシ酪酸、β−フェニル−乳酸、β−フェニルピルビン酸等のβヒドロキシ酸；ポリフェノール；緑茶、大豆製品、マリアアザミ、藻類、アロエ、アンゼリカ、ダイダイ、コーヒー、金糸、グレープフルーツ、ホエレン（hoellen）、スイカズラ、ジュズダマ、ムラサキ、クワ、ボタン、プエラルア、ナイス（nice）、サフラワー等の植物性抽出物、及びそれらの混合物が挙げられるが、それらには限定されない。
【００９０】
好適な抗ニキビ剤の例としては、局所レチノイド（トレチノイン、イソトレチノイン、モトレチニド、アダパレン、タザロテン、アゼライン酸、レチノール）；サリチル酸；過酸化ベンゾイル；レゾルシノール；テトラサイクリン及びその異性体、エリスロマイシン等の抗生物質、並びにイブプロフェン、ナプロキセン、ヘトプロフェン等の抗炎症剤；ハンノキ、ウサギギク、カワラヨモギ、サイシン、バール（birrh）、キンセンカ、カモミール、ハマゼリ、ヒレハリソウ、ウイキョウ、五倍子、サンザシ、ドクダミ、オトギリソウ、ナツメ、キウイ、甘草、モクレン、オリーブ、ペパーミント、フィロデンドロン、サルビア、クマザサ等の植物性抽出物；ケトコナゾール及びエルビオール等のイミダゾールが挙げられるが、それらには限定されない。
【００９１】
好適な色素脱失剤の例としては、大豆製品、レチノール等のレチノイド；コウジ酸及びその誘導体、例えば、コウジジパルミチン酸等；ヒドロキノン及びアルブチン等のそれ誘導体；トラネキサム酸；ナイアシン、ビタミンＣ等のビタミン及びその誘導体；アゼライン酸；プラセルティア；甘草；カモミール及び緑茶等の抽出物、並びにそれらの混合物が挙げられるが、それらには限定されず、レチノイド、コウジ酸、大豆製品、及びヒドロキノンが、特に好適な例である。
【００９２】
好適な抗痔製品の例としては、ベンゾカイン、塩酸プラモキシン等の麻酔剤、及びそれらの混合物；塩化ベンゼトニウム等の消毒剤；酸化亜鉛、次没食子酸ビスマス、バルサムペルー等の収斂剤、及びそれらの混合物；タラ肝油、植物油等の皮膚保護剤、並びにそれらの混合物が挙げられるが、それらには限定されない。
【００９３】
血管拡張薬の例としては、ミノキシジル、ジアゾキシド、及びＮ＊−シアノ−Ｎ−（ｔｅｒｔ−ペンチル）−Ｎ’−３−ピリジニル−グアニジン（「Ｐ−１０７５」）等の化合物が挙げられるが、それらには限定されない。
【００９４】
好適なてかり制御剤の例としては、水酸化ケイ素、カオリン、及びベントナイトが挙げられるが、それらには限定されない。好適な抗ヒスタミン剤の例としては、ジフェンヒドラミンＨＣｌが挙げられるが、それらには限定されない。
【００９５】
好適な抗感染薬の例としては、塩化ベンザルコニウム、ヘキサミジン、及び過酸化水素が挙げられるが、それらには限定されない。好適な創傷治癒促進剤の例としては、キトサン及びその誘導体が挙げられるが、それらには限定されない。好適なツタウルシ及びウルシ製品の例としては、ベントナイト、ヒドロコルチゾン、メントール、及びリドカインが挙げられるが、それらには限定されない。やけど製品の例としては、ベンゾカイン及びリドカインが挙げられるが、それらには限定されない。好適な抗おむつかぶれ製品の例としては、酸化亜鉛及びワセリンが挙げられるが、それらには限定されない。好適なあせも製品の例としては、酸化亜鉛が挙げられるが、それらには限定されない。好適な感覚剤の例としては、メントール、芳香、及びカプサイシンが挙げられるが、それらには限定されない。
【００９６】
本発明との使用に特に好適であり得る有益剤としては、ＤＭＡＥ、大豆製品、コロイド状ひき割りオート麦、スルホン化シェールオイル、オリーブ葉、エルビオール、６−（１−ピペリジニル）−２，４−ピリミジンジアミン−３−オキシド、フィナステリド、ケトコナゾール、サリチル酸、ジンクピリチオン、コールタール、過酸化ベンゾイル、硫化セレン、ヒドロコルチゾン、硫黄、メントール、塩酸プラモキシン、トリセチルモニウムクロリド、ポリクアテルニウム１０、パンテノール、パンテノールトリアセテート、ビタミンＡ及びその誘導体、ビタミンＢ及びその誘導体、ビタミンＣ及びその誘導体、ビタミンＤ及びその誘導体、ビタミンＥ及びその誘導体、ビタミンＫ及びその誘導体、ケラチン、リジン、アルギニン、加水分解小麦タンパク質、銅含有ペプチド及び銅塩等の銅含有化合物、加水分解シルクタンパク質、オクチルメトキシシンナメート、オキシベンゾン、アボベンゾン、ミノキシジル、ノコギリヤシ抽出物、二酸化チタン、酸化亜鉛、レチノール、エルスロマイシン、トレチノイン、並びにそれらの混合物が挙げられる。
【００９７】
存在し得る他の有益剤としては、ネオコラーゲン促進剤（例えば、レチナール等のレチノイド及び銅含有ペプチド）、皮膚引き締め剤（例えば、ＤＭＡＥ）、及び色素脱失剤（例えば、大豆）が挙げられる。
【００９８】
使用され得る有益剤の量は、例えば、皮膚又は爪を通して浸透する有益剤の能力、選択される特定の有益剤、所望の特定の利益、ユーザの有益剤に対する感受性、ユーザの健康状態、年齢、並びに皮膚及び／又は爪の状態等に応じて変わり得る。要するに、有益剤は、健全な医療判断において合理的なリスク対利益比の下で、「安全かつ効果的な量」で、すなわち所望の皮膚若しくは爪に対する利益をもたらすため又は治療されるべき特定の状態を修正するためには十分に高いが、重大な副作用を防止するためには十分に低い量で、使用される。
【００９９】
有益剤は、有益剤の機能を減じない他の成分と共に配合され、混合され、又は調合されて組成物（例えば、液体、乳剤、クリーム等）にされてもよい。１つ又は２つ以上の有益剤の皮膚内への吸収を向上させる送達剤は、この機能を果たすために、有益剤と共に配合されてもよい。好適な送達剤としては、例えば、スルホキシド、エタノール等のアルコール；例えばリノール酸又はオレイン酸等の脂肪酸、例えばＣ３〜Ｃ１０のカルボン酸をＣ１０〜Ｃ２０の脂肪酸アルコールと反応させることから産出され得るもの等の脂肪族エステル；角質層を通して皮膚のより深い層への様々な有益剤の浸透を向上させるのに好適であると当技術分野で公知の他の剤のうち、ポリオール、アルカン、アミン、アミド、トゥルペン、界面活性剤、シクロデキストリン、又はそれらの組み合わせ。
【０１００】
組成物中の有益剤の濃度は、可変である。本明細書で特に表現されない限り、有益剤は、典型的には、組成物／システムの総重量に基づき、約０．０１パーセント〜約５パーセント（例えば、約０．０１パーセント〜約１パーセント）等、約０．０１パーセント〜約２０パーセントの量で組成物中に存在する。
【０１０１】
有益剤を含むこの組成物は、上記されたようなカップリング組成物としても機能してもよく、組成物がこれらの機能のうちの１つを有することを可能にする成分を含んでもよい。
【０１０２】
上記の成分に加えて、又はそのうちの１つ又は２つ以上の代わりに、芳香、着香料、甘味料、着色料、顔料、染料等が本発明のフィルム形成組成物に添加されてもよい。
【実施例】
【０１０３】
本発明は、本発明の組成物、形態、及び装置の生産方法を例示する以下の具体的な実施例への参照によって、更に理解されるであろう。組成物、形態、及び装置の生産方法に関する多数の変形例が、当業者に明らかになるであろうことを理解されたい。以下の実施例は、単に例示的なものであり、部及び百分率は、特に表示のない限り重量に基づく。
【０１０４】
フィルム形成組成物を下の表１中の％固形分及び粘度値によって調製した。
【０１０５】
【表２−１】
2017510474.tif 000004
【０１０６】
【表２−２】
2017510474.tif 000005
１センチポアズ（ｃＰ）による粘度は、較正されたＢｒｏｏｋｆｉｅｌｄ  Ｖｉｓｃｏｍｅｔｅｒによって測定した。試験方法は、以下に標準化した。
・温度：２１℃（７０°Ｆ）
・スピンドル＃  ＲＶ  Ｓ０６
・モータ速度２０ｒｐｍ。
２試験に使用されたスクリーン印刷インクは、Ｓｐｅｅｄｂａｌｌ  Ａｒｔ  Ｐｒｏｄｕｃｔｓ，ＬＬＣ（２３０１  Ｓｐｅｅｄｂａｌｌ  Ｒｏａｄ，Ｓｔａｔｅｓｖｉｌｌｅ，ＮＣ  ２８６７７  ＵＳＡ）によって製造されたものであり、％固形分は、記録しなかった。
【０１０７】
実施例１〜１８：ステンシル印刷
ステンシル材料：レーザーにより形状を切り抜かれたプラスチックシムストック、基材はポリコート紙（ＵＬＩＮＥ（登録商標）Ｆｒｅｅｚｅｒ  Ｐａｐｅｒ  ＃Ｓ７０４５。漂白され、一方の面が２ｋｇ（５ポンド）のポリエチレンによって被覆された、１８ｋｇ（４０ポンド）の非再生紙で、Ｕｌｉｎｅ（プレザントプレーリー、ウィスコンシン州、米国）から入手可能）。
【０１０８】
刷り込みは、平地で、手作業で、平滑なバックアップガラス上で、１０ｃｍ（４インチ）幅の剛性掻き取りブレード（類似のパテナイフ及び／又は乾式壁ツールがブレードの代わりをしてもよい）によって行った。
【０１０９】
表１のフィルム形成組成物のうち５つは、ブレード及び下の表２の厚さを有するステンシルを使用して堆積した。得られたインテグラルフィルム製品を乾燥させ、基材から取り外し、測定した。
【０１１０】
【表３】
2017510474.tif 000006
３  ２つの個々の乾燥されたフィルム製品の最大値及び最小値の平均。
【０１１１】
これらの結果を、ステンシル厚さの厚さと処方１〜３の凝固フィルム製品との間の直線関係を示すグラフ（図８）に描いた。
【０１１２】
実施例１９〜３４：スクリーン印刷
１３センチメートル（５インチ）のドラム径を有する回転式モジュールスクリーン印刷装置（図３による）を使用した。ドラムの外表面は、０．００８センチメートル（０．００３インチ）のニッケルスクリーン（４０×４０メッシュ（孔／２．５センチメートル（孔／インチ）））によって画定され、表３で特定される厚さ（０．０２５〜０．０７６センチメートル（０．０１０〜０．０３０インチ））を有するマスクを、メッシュの内表面上に形成した。実施例１〜３０におけるようにフィルム形成組成物を基材上に配した（ポリコート紙ＵＬＩＮＥ（登録商標））。結果を表３に示す。
【０１１３】
【表４】
2017510474.tif 000007
４  ６つ２つの個々の乾燥されたフィルム製品の最大値及び最小値の平均。
【０１１４】
これらの結果を、ステンシル厚さの厚さとインテグラルフィルム製品との間の直線関係を示すグラフ（図９）に描いた。％固形分は実質的に同じであると思われ、所与のマスク厚さについて得られた乾燥フィルム厚さは実質的に同じであったため、このデータは、処方１〜３を別々に、並びに処方６及び７を組み合わせて、含んでいる。
【０１１５】
上の明細書及び実施形態は、本明細書で開示される本発明の完全かつ非限定的な理解を助けるために提示されている。本発明の多数の変形形態及び実施形態が、本発明の趣旨及び範囲から逸脱することなく可能となるため、本発明は、本願の以下に添付する特許請求の範囲に帰するものである。
【０１１６】
〔実施の態様〕
（１）  インテグラルフィルム製品を形成するための方法であって、
ａ．所望のインテグラルフィルム製品に対応する形状を有する少なくとも１つの開口部を有するマスクを、剥離性表面を有する基材上に載置する工程と、
ｂ．前記マスクの前記少なくとも１つの開口部を通してフィルム形成組成物を送達し、前記少なくとも１つの開口部に対応する粗形状体（raw shape）を前記基材上に形成する工程と、
ｃ．前記マスクを取り外す工程と、
ｄ．前記粗形状体を前記基材上に配された前記インテグラルフィルム製品へ変換する工程と、を含み、前記インテグラルフィルム製品が、前記基材から独立した使用のために前記基材の前記剥離性表面から取り外し可能であるように配置及び構成される、方法。
（２）  前記マスクが、内部を有する回転ドラムの円筒面上に配置され、前記少なくとも１つの開口部が、前記回転ドラムの前記内部と流体連通している、実施態様１に記載の方法。
（３）  前記マスクが、前記少なくとも１つの開口部にわたって配されたスクリーンを有する、実施態様１に記載の方法。
（４）  約２０°〜約４０°の羽根角を有するスキージが、前記スクリーンを通して前記フィルム形成組成物を押し通す、実施態様３に記載の方法。
（５）  ノズルが前記フィルム形成組成物を圧力下で前記マスクへ送達する、実施態様４に記載の方法。
【０１１７】
（６）  前記マスクが、ステンシルである、実施態様１に記載の方法。
（７）  ノズルが前記フィルム形成組成物を圧力下で前記マスクへ送達する、実施態様６に記載の方法。
（８）  前記粗形状体が、少なくとも約０．５ｍｍの厚さを有する、実施態様１に記載の方法。
（９）  インテグラルフィルム製品を形成するための方法であって、
ａ．所望のインテグラルフィルム製品に対応する設計を有する少なくとも１つの開口部を有するマスクを、剥離性表面を有する基材上に載置する工程と、
ｂ．前記マスクの前記少なくとも１つの開口部を通して有益剤を含むフィルム形成組成物を送達し、前記少なくとも１つの開口部に対応する粗形状体を前記基材上に形成する工程と、
ｃ．前記マスクを取り外す工程と、
ｄ．前記粗形状体を前記基材上に配された前記インテグラルフィルム製品へ変換する工程と、を含み、前記インテグラルフィルム製品が、前記基材から独立した使用のために前記基材の前記剥離性表面から取り外し可能であるように配置及び構成される第１の表面を有し、前記有益剤が、前記インテグラルフィルム製品の前記第１の表面を通して送達可能である、方法。
（１０）  実施態様１に記載の方法に従って作製されたインテグラルフィルム製品。
【０１１８】
（１１）  実施態様９に記載の方法に従って作製されたインテグラルフィルム製品。
【図１】
2017510474.tif 000008
【図２】
2017510474.tif 000009
【図３】
2017510474.tif 000010
【図４】
2017510474.tif 000011
【図５】
2017510474.tif 000012
【図６Ａ】
2017510474.tif 000013
【図６Ｂ】
2017510474.tif 000014
【図６Ｃ】
2017510474.tif 000015
【図６Ｄ】
2017510474.tif 000016
【図７Ａ】
2017510474.tif 000017
【図７Ｂ】
2017510474.tif 000018
【図７Ｃ】
2017510474.tif 000019
【図７Ｄ】
2017510474.tif 000020
【図７Ｅ】
2017510474.tif 000021
【図８】
2017510474.tif 000022
【図９】
2017510474.tif 000023
【国際調査報告】
2017510474.tif 000024
2017510474.tif 000025
2017510474.tif 000026